(57)【要約】      （修正有）【課題】自転車の前輪の前かごに重い荷物を入れたとき、自転車を動かそうとすると、自転車の前輪の操作がふらふらせず、また、走行中、自転車の前輪の操縦もふらふらせず、さらに、簡単な構造で、安価で、しかも軽く、耐久性がある前輪の補助輪を提供する。【解決手段】前ホークＡの先端に固定した前輪Ｂの車軸ＣのボルトＤを外し、前輪Ｂの車軸Ｃの両端に左右の脚部３ａ、３ｂの上端部の孔を貫通し、前輪Ｂの車軸ＣにボルトＤを締付け、左右の脚部３ａ、３ｂの上端部を固定し、左右の軸部１ａ、１ｂの先端に回転可能な補助輪２ａ、２ｂをそれぞれ取付け、左右の脚部３ａ、３ｂの下端部の孔に左右の軸部１ａ、１ｂの他端を貫通し、左右の軸部１ａ、１ｂの他端より少し内側が左右の脚部３ａ、３ｂの下端部の孔の外周に当接して、左右の軸部１ａ、１ｂの他端にネジ部を設けて、ネジ部に左右の脚部３ａ、３ｂの内側から軸部用ボルト４ａ、４ｂを締付け、左右の脚部３ａ、３ｂの下端部に前記左右の軸部１ａ、１ｂを固定する。【選択図】図２
0003216108.tif 000002
【実用新案登録請求の範囲】
【請求項１】
自転車の前ホークの先端に固定した前輪の車軸に取付けられたボルトを外し、前記前輪の車軸の両端に左右の脚部の上端部の孔を貫通し、前記前輪の車軸の両端に前記ボルトを挿入して締付け、前記前輪の車軸の両端に前記左右の脚部の上端部を固定し、左右の軸部の先端に回転可能な補助輪をそれぞれ取付け、前記左右の軸部の他端の径を前記左右の脚部の下端部の孔の径より小さくし、前記左右の脚部の下端部の孔に前記左右の軸部の他端を貫通し、前記左右の軸部の他端より少し内側の前記左右の軸部の径が前記左右の脚部の下端部の孔の径より大きくして、前記左右の軸部の他端より少し内側が前記左右の脚部の下端部の孔の外周に当接して、前記左右の軸部の他端にネジ部を設けて、前記ネジ部に前記左右の脚部の内側から軸部用ボルトを締付け、前記左右の脚部の下端部に前記左右の軸部を固定してなる自転車の前輪の補助輪。
【請求項２】
請求項１に記載した左右の脚部の下端部の形状をＬ字状に形成して、自転車の前ホークの先端に固定した前輪の車軸に取付けられたボルトを外し、前記前輪の車軸の両端に前記左右の脚部の上端部の孔を貫通し、前記前輪の車軸の両端に前記ボルトを挿入して締付け、前記前輪の車軸の両端に前記脚部の上端部を固定し、前記左右の脚部のＬ字状の下端部の先端に回転可能な補助輪を取付けてなる自転車の前輪の補助輪。
【請求項３】
左右の脚部の形状を左右の脚部の上端部の少し下で外に数度角度を付けて曲げて、左右の脚部の下端部の孔より少し上で内に数度角度を付けて曲げた形状にした請求項１記載の自転車の前輪の補助輪。
【請求項４】
左右の脚部の形状を左右の脚部の上端部の少し下で外に数度角度を付けて曲げて、左右の脚部のＬ字状の下端部を地面に水平の角度に曲げた形状にした請求項２記載の自転車の前輪の補助輪。
【請求項５】
左右の脚部の上端部または下端部の孔の形状を縦長の溝形状にした請求項１記載の自転車の前輪の補助輪。
【請求項６】
左右の脚部の下端部の孔にネジ部を設け、前記ネジ部に左右の軸部の他端にもネジ部を設け、前記脚部の下端部の孔のネジ部に前記左右の軸部の他端のネジ部を螺合してなる請求項１記載の自転車の前輪の補助輪。
【請求項７】
左右の脚部の上端部の孔の形状を縦長の溝形状にした請求項２記載の自転車の前輪の補助輪。
【考案の詳細な説明】
【技術分野】
【０００１】  本考案は、自転車を止めて、前輪の前かごに重い荷物を入れて、自転車を動かそうとする時、その状態で走行した時も、自転車の前輪の操縦を安定させる前輪の補助輪に関するものである。
【背景技術】
【０００２】  従来は、自転車の前輪の前かごに荷物を入れると、荷物の重さが軽いときは問題がないが、重い荷物のときは、自転車を動かそうとすると前輪の操縦がふらふらして困難となり、特に女性の力では前輪の操縦が大変であり、さらに高齢者にとっては自転車を動かそうとすると、前輪がふらつき前輪が右又は左に傾き、修復が難しく、ついに自転車を横転させてしまうことになった。また、走行中も自転車の前かごの荷物の重さで、ハンドルが右に左に揺れてハンドル操作が困難であった。
【先行技術文献】
【特許文献】
【０００３】
【特許文献１】特開２０１７−７７８８６特許公開公報
【特許文献２】特開２０１６−１０７９５６特許公開公報
【特許文献３】特開２０１３−２０３２８９特許公開公報
【特許文献４】特開２０１０−４７２４２特許公開公報
【考案の概要】
【考案が解決しようとする課題】
【０００４】  従来は、自転車の前輪の前かごに重い荷物を入れたとき、自転車を動かそうとすると、自転車の前輪の操作がふらふらし、また、走行中も、自転車の前輪の操縦もふらふらした。そこで、いかにして前輪の操作が正常に操作できるようになるのか、また、走行時も自転車の前かごの荷物が重くても、いかにしてハンドルがふらつかず安全走行できるようになるのか、自転車の安全性をいかにして実現するのかが課題である。【０００５】  そこで、自転車の前輪の前かごに重い荷物を入れても、自転車を動かそうとする時、また、自転車の走行時に自転車の前輪がふらふらせず、自転車を安全に操縦でき、走行できるようにしたのが、本考案である。また、前輪の補助輪の構造が、簡単な構造で、安価で、しかも軽く、耐久性があり、さらに、使用中の自転車に簡単に取付けられるようにしたのが、本考案である。
【課題を解決するための手段】
【０００６】  本考案は、上記目的を達成するために、自転車の前ホークの先端に固定した前輪の車軸に取付けられたボルトを外し、前記前輪の車軸の両端に左右の脚部の上端部の孔を貫通し、前記前輪の車軸の両端に前記ボルトを挿入して締付け、前記前輪の車軸の両端に前記左右の脚部の上端部を固定し、左右の軸部の先端に回転可能な補助輪をそれぞれ取付け、前記左右の軸部の他端の径を前記左右の脚部の下端部の孔の径より小さくし、前記左右の脚部の下端部の孔に前記左右の軸部の他端を貫通し、前記左右の軸部の他端より少し内側の前記左右の軸部の径が前記左右の脚部の下端部の孔の径より大きくして、前記左右の軸部の他端より少し内側が前記左右の脚部の下端部の孔の外周に当接して、前記左右の軸部の他端にネジ部を設けて、前記ネジ部に前記左右の脚部の内側から軸部用ボルトを締付け、前記左右の脚部の下端部に前記左右の軸部を固定してなるものである。【０００７】  また、第２の手段は、前記左右の脚部の下端部の形状をＬ字状に形成して、自転車の前ホークの先端に固定した前輪の車軸に取付けられたボルトを外し、前記前輪の車軸の両端に左右の脚部の上端部の孔を貫通し、前輪の車軸の両端にボルトを挿入して締付け、前輪の車軸の両端に脚部の上端部を固定し、左右の脚部のＬ字状の下端部の先端に回転可能な補助輪を取付けてなるものである。【０００８】  なお、第１の手段として、前記左右の脚部の上端部の少し下で外に数度角度を付けて曲げて、前記左右の脚部の下端部の孔より少し上で内に数度角度を付けて曲げるのも良い。
また、第２の手段として、前記左右の脚部の上端部の少し下で外に数度角度を付けて曲げて、前記左右の脚部のＬ字状の下端部を地面に水平の角度に曲げるのも良い。【０００９】  自転車に本考案の第１の手段を取付ける方法は、左右の軸部の先端に回転可能な補助輪をそれぞれ取付け、左右の脚部の下端部の孔に左右の軸部の他端を貫通し、左右の軸部の他端より少し内側が左右の脚部の下端部の孔の外周に当接して、左右の軸部の他端のネジ部に左右の脚部の内側から軸部用ボルトを締付け、左右の脚部の下端部に左右の軸部を固定する。自転車の前ホークの先端に固定した前輪の車軸の両端に締付けられているボルトを外し、前輪の車軸に左右の脚部の上端部の孔を貫通し、前輪の車軸の両端にボルトを挿入して締付け、前輪の車軸の両端に脚部の上端部を固定することによって完了する。【００１０】  また、本考案の第２の手段を取付ける方法は、左右の脚部のＬ字状の下端部の先端に回転可能な補助輪を取付け、自転車の前ホークの先端に固定した前輪の車軸の両端に締付けられているボルトを外し、前輪の車軸の両端に左右の脚部の上端部の孔を貫通し、前輪の車軸の両端にボルトを挿入して締付け、前輪の車軸の両端に脚部の上端部を固定することによって完了する。
【考案の効果】
【００１１】  本考案の特有の効果は、自転車の前かごに重い荷物を入れたことによって、自転車を動かそうとした時、普通は、ハンドルがふらついて自転車が倒れそうになるものであるが、本考案は、自転車の前輪の車軸に脚部を介して補助輪を取付けているので、ハンドルがふらつくことがなく、自転車を安全に動かすことができる。また、本考案を取付けた自転車に乗って走行すると、前輪に補助輪が付いているので前かごの荷物が重くても、ハンドルがふらつくこともなく、安全に走行することができる。また、前輪の補助輪の構造が、簡単な構造で、安価で、しかも軽く、耐久性があり、さらに、使用中の自転車に簡単に取付けられるようにしたのが、本考案である。
【図面の簡単な説明】
【００１２】
【図１】本考案の一実施形態を示す側面図で、自転車の前輪に取付けた状態図
【図２】本考案の一実施形態を示す正面図で、ブレーキレバーと泥よけを除いた状態図
【図３】本考案の別の実施例を示す正面面で、ブレーキレバーと泥よけを除いた状態図
【考案を実施するための形態】
【００１３】  本考案の実施の形態は、図１および図２で示すように、左右の脚部３ａ，３ｂの上端部の少し下で外に数度角度を付けて曲げ、左右の脚部３ａ，３ｂの下端部の孔より少し上で内に数度角度を付けて曲げる。左右の軸部１ａ，１ｂの先端に回転可能な補助輪２ａ，２ｂをそれぞれ取付け、左右の軸部１ａ，１ｂの他端の径を左右の脚部３ａ，３ｂの下端部の孔（図示せず）の径より小さくし、左右の脚部３ａ，３ｂの下端部の孔に左右の軸部１ａ，１ｂの他端を貫通し、左右の軸部１ａ，１ｂの他端より少し内側の軸部１ａ，１ｂの径が左右の脚部３ａ，３ｂの下端部の孔（図示せず）の径より大きくして、左右の軸部１ａ，１ｂの他端より少し内側が左右の脚部３ａ，３ｂの下端部の孔の外周に当接する。左右の軸部１ａ，１ｂの他端にネジ部を設けて、そのネジ部に左右の脚部３ａ，３ｂの内側から軸部用ボルト４ａ，４ｂを締付け，左右の脚部３ａ，３ｂの下端部に左右の軸部１ａ，１ｂを固定する。そして、自転車の前ホークＡの先端に固定した前輪Ｂの車軸ＣのボルトＤを外し、車軸Ｃの両端に、前ホークＡの外側から左右の脚部３ａ，３ｂの上端部の孔を貫通し、前輪Ｂの車軸Ｃの両端にボルトＤを挿入し締付け、前輪Ｂの車軸Ｃの両端に脚部３ａ，３ｂの上端部を固定してなるものである。
【００１４】  なお、左右の脚部３ａ，３ｂの上端部および下端部の孔の形状を縦長の溝形状にする方がよい。これによって、車軸Ｃと左右の脚部３ａ，３ｂとの取付けおよび脚部３ａ，３ｂと軸部１ａ，１ｂとの取付けの高さ調整をすることによって、左右の補助輪２ａ，２ｂの接地面を調節できる。また、左右の軸部１ａ，１ｂの先端に回転可能な補助輪２ａ，２ｂを取付ける際、軸受けを用いるとより良い。また、左右の脚部３ａ，３ｂの下端部の孔にネジ部を設け、そのネジ部に左右の軸部１ａ，１ｂのネジ部を螺合することによって、軸部用ボルト４ａ，４ｂは不要になる。さらに、左右の脚部３ａ，３ｂの上端部の少し下で外に数度角度を付けて曲げて、左右の脚部３ａ，３ｂの下端部の孔より少し上で内に数度角度を付けて曲げる形状にすることによって前輪Ｂの安定性がさらに良くなる。
【００１５】  また、第２の実施の形態は、図３で示すように、左右の脚部１３ａ，１３ｂの下端部の形状をＬ字状に形成して、左右の脚部１３ａ，１３ｂの上端部の少し下で外に数度角度を付けて曲げて、左右の脚部１３ａ，１３ｂのＬ字状の下端部を地面に水平の角度に曲げる。左右の脚部１３ａ，１３ｂのＬ字状の下端部の先端に回転可能な補助輪１２ａ，１２ｂを取付け、自転車の前ホークＡの先端に固定した前輪Ｂの車軸ＣのボルトＤを外し、車軸Ｃの両端に、前ホークＡの外側から左右の脚部１３ａ，１３ｂの上端部の孔（図示せず）を貫通し、前輪Ｂの車軸Ｃの両端にボルトＤを挿入して締付け、前輪Ｂの車軸Ｃの両端に脚部１３ａ，１３ｂの上端部を固定してなるものである。
【００１６】  なお、左右の脚部１３ａ，１３ｂの上端部の孔の形状を縦長の溝形状にする方がよい。これによって、車軸Ｃと左右の脚部１３ａ，１３ｂとの取付けの高さ調整をすることによって、左右の補助輪１２ａ，１２ｂの接地面を調節できる。また、左右の脚部１３ａ，１３ｂの先端に回転可能な補助輪１２ａ，１２ｂを取付ける際、軸受けを用いるとより良い。さらに、左右の脚部１３ａ，１３ｂの上端部の少し下で外に数度角度を付けて曲げて、左右の脚部１３ａ，１３ｂのＬ字状の下端部を地面に水平の角度に曲げる形状にすることによって前輪Ｂの安定性がさらに良くなる。
【００１７】  本考案の実施の形態の自転車の前かごに重い荷物を入れても、自転車を動かそうとする時、ハンドルがふらつくことがなく、安心して自転車を動かすことができる。また、その状態で自転車に乗って走行している時も、ハンドルがふらつくことがなく、安全に走行できる。
【符号の説明】
【００１８】１ａ、１ｂ・・・軸部
２ａ、２ｂ・・・補助輪
３ａ、３ｂ・・・脚部
４ａ，４ｂ・・・軸部用ボルト
１２ａ，１２ｂ・・・補助輪
１３ａ，１３ｂ・・・脚部
Ａ・・・前ホーク      Ｂ・・・前輪
Ｃ・・・車軸          Ｄ・・・ボルト
【図１】
0003216108.tif 000003
【図２】
0003216108.tif 000004
【図３】
0003216108.tif 000005
【手続補正書】
【提出日】平成30年2月22日(2018.2.22)
【手続補正１】
【補正対象書類名】実用新案登録請求の範囲
【補正対象項目名】全文
【補正方法】変更
【補正の内容】
【実用新案登録請求の範囲】
【請求項１】
左右の脚部の上端部に、自転車の前ホークの先端に嵌合した前輪の車軸の両端が貫通する孔を形成し、前記左右の脚部の上端部の孔を貫通した前記前輪の車軸の両端にボルトで締付けることによって前記左右の脚部の上端部を固定し、左右の軸部の先端に回転可能に補助輪をそれぞれ付設し、前記左右の脚部の下端部に、前記左右の軸部の他端が密着して貫通する孔を設け、前記左右の脚部の下端部の孔を貫通した前記左右の軸部の他端にネジ部を設け、前記ネジ部に軸部用ボルトで締付けることによって前記左右の軸部を固定してなる自転車の前輪の補助輪。
【請求項２】
前記左右の脚部の下端部の形状をＬ字状に形成して、前記左右の脚部の上端部に、自転車の前ホークの先端に嵌合した前輪の車軸の両端が貫通する孔を形成し、前記左右の脚部の上端部の孔を貫通した前記前輪の車軸の両端にボルトで締付けることによって前記左右の脚部の上端部を固定し、前記左右の脚部のＬ字状の下端部の先端に回転可能に補助輪をそれぞれ付設してなる請求項１に記載の自転車の前輪の補助輪。
【請求項３】
前記左右の脚部の形状を前記左右の脚部の上端部の孔より少し下で垂直より外に数度角度を付けて形成し、前記左右の脚部の下端部の孔より少し上で内に数度角度を付けて垂直になるように形成した請求項１記載の自転車の前輪の補助輪。
【請求項４】
前記左右の脚部の形状を前記左右の脚部の上端部の孔より少し下で垂直より外に数度角度を付けて形成し、前記左右の脚部のＬ字状の下端部を地面に水平になるように形成した請求項２記載の自転車の前輪の補助輪。
【請求項５】
前記左右の脚部の上端部の孔の形状を縦長の溝形状に形成した請求項１記載の自転車の前輪の補助輪。
【請求項６】
前記左右の脚部の下端部の孔にネジ部を設け、左右の軸部の他端にもネジ部を設け、前記左右の脚部の下端部の孔のネジ部に前記左右の軸部の他端のネジ部を螺合してなる請求項１記載の自転車の前輪の補助輪。
【請求項７】
前記左右の脚部の上端部の孔の形状を縦長の溝形状に形成した請求項２記載の自転車の前輪の補助輪。